【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
アンテナと、
前記アンテナに接続されるインピーダンス可変整合回路と、
前記アンテナから放射される電力を受信するプローブと、
前記プローブに接続される電力検出器と、
前記電力検出器に接続され、前記電力検出器により測定される電力値に基づき前記インピーダンス可変整合回路を制御する制御回路と、
前記電力検出器に接続され、前記電力検出器により測定される電力値の変化量を算出する第１の演算回路と、
前記変化量と所定の数値範囲を比較する比較回路と、
前記比較回路の比較結果に基づき、前記制御回路を起動させる起動回路と、
を備えるアンテナ装置。
【請求項２】
前記比較回路の比較結果に基づき、前記電力値に対し所定のバイアス値を加算または減算する第２の演算回路を、さらに備えることを特徴とする請求項１記載のアンテナ装置。
【請求項３】
前記電力検出器により測定される電力値の増減方向が同一方向の間は、前記制御回路が同一方向に前記インピーダンス可変整合回路のインピーダンスを変化させ、前記電力検出器により測定される電力値の増減方向が変化した場合は、前記制御回路が逆方向に前記インピーダンス可変整合回路のインピーダンスを変化させ、インピーダンスの変化方向の変化を所定の回数繰り返した場合に前記制御回路の動作を停止することを特徴とする請求項１または請求項２記載のアンテナ装置。
【請求項４】
前記アンテナ装置で使用される無線周波数と、前記インピーダンス可変整合回路の最適インピーダンス状態との関係を記憶する記憶素子を、さらに備えることを特徴とする請求項１ないし請求項３いずれか一項記載のアンテナ装置。
【請求項５】
前記アンテナが、給電点と前記給電点と離間した端部を備え、前記アンテナの端部と前記プローブの先端との距離が、前記アンテナ装置で使用される最大無線周波数に対応する波長の８分の１以下であることを特徴とする請求項１ないし請求項４いずれか一項記載のアンテナ装置。
【請求項６】
前記比較回路が前記変化量と所定の数値範囲を比較し、前記第１の演算回路が、前記変化量の算出を繰り返し、前記変化量が前記所定の数値範囲と一致しなかった後、初めて前記変化量が前記所定の数値範囲と一致した際に、前記起動回路が前記制御回路を起動させることを特徴とする請求項１ないし請求項５いずれか一項記載のアンテナ装置。
【請求項７】
アンテナと、前記アンテナに接続されるインピーダンス可変整合回路と、前記アンテナから放射される電力を受信するプローブと、前記プローブに接続される電力検出器と、前記電力検出器に接続され、前記電力検出器により測定される電力値に基づき前記インピーダンス可変整合回路を制御する制御回路と、前記電力検出器に接続され、前記電力検出器により測定される電力値の変化量を算出する第１の演算回路と、前記変化量と所定の数値範囲を比較する比較回路と、前記比較回路の比較結果に基づき、前記制御回路を起動させる起動回路と、を備えるアンテナ装置と、
前記インピーダンス可変整合回路の、前記アンテナに対して反対側に接続される無線機と、
前記インピーダンス可変整合回路と前記無線機との間に接続される電力増幅器を有することを特徴とする無線通信装置。
【請求項８】
前記比較回路の比較結果に基づき、前記変化量に対し所定のバイアス値を加算または減算する第２の演算回路を、さらに備えることを特徴とする請求項７記載の無線通信装置。
【請求項９】
前記制御回路により前記インピーダンス可変整合回路を制御する際の電力値の最小変化幅が、前記電力増幅器の最小利得可変幅よりも小さいとことを特徴とする請求項８記載の無線通信装置。
【請求項１０】
アンテナと、
前記アンテナに接続されるインピーダンス可変整合回路と、
前記アンテナから放射される電力を受信するプローブと、
前記プローブに接続される第１の電力検出器と、
前記第１の電力検出器に接続され、前記第１の電力検出器により測定される電力値に基づき前記インピーダンス可変整合回路を制御する制御回路と、
前記インピーダンス可変整合回路の、前記アンテナに対して反対側に接続される第２の電力検出器と、
前記第１の電力検出器により測定される第１の電力値と、前記第２の電力検出器により測定される第２の電力値を比較する比較回路と、
前記比較回路の比較結果に基づき、前記制御回路を起動させる起動回路と、
を備えるアンテナ装置。
【請求項１１】
前記比較回路の比較結果に基づき、前記第１の電力値に対し所定のバイアス値を加算または減算する演算回路を、さらに備えることを特徴とする請求項１０記載のアンテナ装置。
【請求項１２】
前記第１および第２の電力検出器が対数ピーク検出器であることを特徴とする請求項１０または請求項１１記載のアンテナ装置。
【請求項１３】
前記第１の電力検出器により測定される電力値の増減方向が同一方向の間は、前記制御回路が同一方向に前記インピーダンス可変整合回路のインピーダンスを変化させ、前記第１の電力検出器により測定される電力値の増減方向が変化した場合は、前記制御回路が逆方向に前記インピーダンス可変整合回路のインピーダンスを変化させ、インピーダンスの変化方向の変化を所定の回数繰り返した場合に前記制御回路の動作を停止することを特徴とする請求項１０ないし請求項１２いずれか一項記載のアンテナ装置。
【請求項１４】
前記アンテナ装置で使用される無線周波数と、前記インピーダンス可変整合回路の最適インピーダンス状態との関係を記憶する記憶素子を、さらに備えることを特徴とする請求項１０ないし請求項１３いずれか一項記載のアンテナ装置。
【請求項１５】
前記アンテナが、給電点と前記給電点と離間した端部を備え、前記端部と前記プローブの先端との距離が、前記アンテナ装置で使用される最大無線周波数に対応する波長の８分の１以下であることを特徴とする請求項１０ないし請求項１４いずれか一項記載のアンテナ装置。
【請求項１６】
前記比較回路が減算回路を含むことを特徴とする請求項１２記載のアンテナ装置。
【請求項１７】
アンテナと、前記アンテナに接続されるインピーダンス可変整合回路と、前記アンテナから放射される電力を受信するプローブと、前記プローブに接続される第１の電力検出器と、前記第１の電力検出器に接続され、前記第１の電力検出器により測定される電力値に基づき前記インピーダンス可変整合回路を制御する制御回路と、前記インピーダンス可変整合回路の前記アンテナに対して反対側に接続される第２の電力検出器と、前記第１の電力検出器により測定される第１の電力値と、前記第２の電力検出器により測定される第２の電力値を比較する比較回路と、前記比較回路の比較結果に基づき、前記制御回路を起動させる起動回路と、を備えるアンテナ装置と、
前記インピーダンス可変整合回路の、前記アンテナに対して反対側に接続される無線機と、
前記インピーダンス可変整合回路と前記無線機との間に接続される電力増幅器を有することを特徴とする無線通信装置。
【請求項１８】
前記比較回路の比較結果に基づき、前記変化量に対し所定のバイアス値を加算または減算する演算回路を、さらに備えることを特徴とする請求項１７記載の無線通信装置。
【請求項１９】
前記第１および第２の電力検出器が対数ピーク検出器であることを特徴とする請求項１７または請求項１８記載の無線通信装置。
【請求項２０】
前記比較回路が減算回路を含むことを特徴とする請求項１９記載の無線通信装置。
【請求項２１】
アンテナから放出される電力をプローブで受信するアンテナ装置に接続された制御装置であって、
前記プローブで受信される電力値に基づき前記アンテナに接続されたインピーダンス可変整合回路を制御する制御回路と、
前記プローブで受信される電力値の変化量を算出する第１の演算回路と、
前記変化量と所定の数値範囲を比較する比較回路と、
前記比較回路の比較結果に基づき、前記制御回路を起動させる起動回路と、
を備える制御装置。
【手続補正２】
【補正対象書類名】明細書
【補正対象項目名】発明の名称
【補正方法】変更
【補正の内容】
【発明の名称】アンテナ装置、無線通信装置および制御装置